(57)【要約】【課題】液垂れや内容物の固化を抑制できる反転容器用のディスペンサーを提案する。【解決手段】上向きに開放され、反転姿勢にある容器の口部に連結可能な注入口２と、下向きに指向させたノズルｎを有し、横方向への押し込み動作にて容器内の内容物を注入口２及びノズルｎを通して外界へ排出する押圧ヘッド６とを備えた反転容器用のディスペンサーにおいて、押圧ヘッド６として、ヘッド本体の押し込み動作に連動した上方へのスライドにてノズルｎの噴出口ｈ開放し、初期姿勢への復帰動作に連動した下方へのスライドにてノズルｎの噴出口ｈを閉塞するシャットオフピン１２を備えたものを適用する。【選択図】図１
2010006457.tif 000002
【特許請求の範囲】
【請求項１】
上向きに開放され、反転姿勢にある容器の口部に連結可能な注入口と、下向きに指向させたノズルを有し、横方向への押し込み動作にて容器内の内容物を注入口及びノズルを通して外界へ排出する押圧ヘッドとを備えた反転容器用のディスペンサーにおいて、
前記押圧ヘッドは、ヘッド本体の押し込み動作に連動した上方へのスライドにてノズルの噴出口を開放し、初期姿勢への復帰動作に連動した下方へのスライドにてノズルの噴出口を閉塞するシャットオフピンを有することを特徴とする反転容器用のディスペンサー。
【請求項２】
前記ディスペンサーは、横方向への押し込み動作の繰り返しにて、ポンプを作動させて容器内の内容物を注入口を通して吸引、加圧、圧縮するとともに圧縮された内容物をノズルを通して外界へ排出する押圧ヘッドを備える、請求項１記載の反転容器用のディスペンサー。
【発明の詳細な説明】
【技術分野】
【０００１】
本発明は、容器の口部を下側に向けて配置、使用される反転容器用のディスペンサーに関するものであり、とくにノズルからの液垂れ、残存内容物の固化を確実に回避しようとするものである。
【背景技術】
【０００２】
容器を反転姿勢に保持して壁等に固定、使用される据え置き型の容器は、口部に装着されたディスペンサーを片手で操作する簡単な操作で内容物を取り出すことができることから、シャンプーやリンスを入れる容器あるいは洗浄液、消毒液を入れる容器としてホテルや旅館、病院等医療機関、福祉関連機関において多用される傾向にあってその需要は今後益々増加していくと見込まれている（特許文献１参照）。
【特許文献１】特開２００４−３３１１１５号公報
【０００３】
ところで、この種の容器に適用されるディスペンサーは、容器内の内容物を注出するノズルが下向きになっているのが普通で、内容物の注出を停止したにもかかわらずノズル内に残存した内容物等が垂れる（液垂れ）おそれがあり、また、長期の不使用状態（とくにホテルや旅館等）が続いた場合や固化し易い内容物が充填されたものにあってはノズル詰まりを起こし易く内容物の注出が困難となることが想定されており、未だ改善の余地が残されていた。
【発明の開示】
【発明が解決しようとする課題】
【０００４】
本発明の課題は、液垂れを確実に回避するとともに、ノズル内における内容物の固化を抑制できる新規な反転容器用のディスペンサーを提案するところにある。
【課題を解決するための手段】
【０００５】
本発明は、上向きに開放され、反転姿勢にある容器の口部に連結可能な注入口と、下向きに指向させたノズルを有し、横方向への押し込み動作にて容器内の内容物を注入口及びノズルを通して外界へ排出する押圧ヘッドとを備えた反転容器用のディスペンサーにおいて、
前記押圧ヘッドは、ヘッド本体の押し込み動作に連動した上方へのスライドにてノズルの噴出口を開放し、初期姿勢への復帰動作に連動した下方へのスライドにてノズルの噴出口を閉塞するシャットオフピンを有することを特徴とする反転容器用のディスペンサーである。
【０００６】
上記の構成になるディスペンサーにおいては、横方向への押し込み動作の繰り返しにて、ポンプを作動させて容器内の内容物を注入口を通して吸引、加圧、圧縮するとともに圧縮された内容物をノズルを通して外界へ排出する押圧ヘッドを備えた構成とするのがとくに好ましい。
【発明の効果】
【０００７】
押圧ヘッドのヘッド本体に、該押圧ヘッドの押し込み、復帰動作に連動して開放位置から閉塞位置（ノズルの延在方向）にスライドするシャットオフピンを組み込んでおき、内容物を注出する時のみピンの先端をノズルの噴出口から離反させ、それ以外は該シャットオフピンにて噴出口を閉塞するようにしたため液垂れを起こすことがない。また、押圧ヘッドの排出経路内において内容物が残存するようなことがあっても押圧ヘッドを押し込まない限りノズルの噴出口は閉塞状態に保たれることとなり外気との接触による内容物の酸化、固化が避けられる。
【発明を実施するための最良の形態】
【０００８】
以下、図面を参照して本発明をより具体的に説明する。
図１は本発明に従う反転容器用のディスペンサーの実施の形態を模式的に示した図である。
【０００９】
図における１はディスペンサーの基本骨格をなす横向き配置になる円筒状のベースである。このベース１は後端の側壁部分に凹部１aを有しており、該凹部１aに後述するホルダーの係止ロッドを差し込むことで壁等の固定部に保持されたケース内に配置することができるようになっている。
【００１０】
２はベース１の上部に設けられた上向き開放になる注入口である。この注入口２には内部通路を有するソケット２ａが配置（アンダーカット等の嵌合手段によって回動不能に連結されるがその手段は限定されない。）されていて、容器の口部Ｋに取り付けられた開閉弁付きのアダプターＪの先端部をソケット２ａの係合筒２ａ１内に差込み、バイヨネット等の手段（一方側に設けられた凸部をもう一方側に設けられた溝部等に入れ込みその状態で回動させて引き抜け不能に固定する手段）を適用して相互に着脱自在に連結している。
【００１１】
アダプターJはソケット２ａの係合筒２ａ１にスプライン等により回動不能に連係する内側筒体（弁座として機能する）J１１と、この内側筒体Ｊ１１の内側に位置する弁体Ｖを有し、該内側筒体Ｊ１１を取り囲むように配置される外側筒体J１２とからなっており、アダプターJの外側筒体Ｊ１２を容器とともに時計周りあるいは反時計周りに回動させて外側筒体Ｊ１２の弁体Ｖと内側筒体Ｊ１１との相互間で通路を開閉する構造のものが適用されるが、反転容器がパウチ等のように内容物の量が減るにしたがい外観が変形するような可撓性を有する容器にあっては、容器の胴体をつかんで回動させにくいので、アダプターJの外側筒体Ｊ１２の外表面には、該アダプターＪに適合し外側筒体Ｊ１２を容器とともに回動させることができるレバーＭが設けられる（容器が剛性の高い容器あるいは剛性の高い外装体を備えたデラミ容器などにあっては容器の胴体部分をしっかりと把持できるのでレバーＭは省略できる）。
【００１２】
また、３はベース１の開口部分１ｂに配置された横置きのシリンダーである。このシリンダー３の末端壁３ａにはシリンダー３内が負圧になった時に吸引口３ａ１を開放する逆止弁（３点弁等）３ｂが配置されている。
【００１３】
４はシリンダー３の内側にスライド可能に配置されたピストンである。このピストン４はシリンダー３の内壁面で液密状態を保持しつつ摺動可能な環状の摺動体４ａと、この摺動体４ａを外周面に保持し該摺動体４ａとともにシリンダー３内で移動可能な中空ステム４ｂからなっており、ピストン４とシリンダー３とによってポンプを構成する。
【００１４】
５は注入口２とシリンダー３とをつなぐ通路である。この通路５はベース１の内側に形成されている。
【００１５】
また、６はベース１の開口部分１ｂにポンプとともに組み込まれた押圧ヘッドである。この押圧ヘッド６は、ヘッド本体が、押圧部位を形成する頭部６ａと、この頭部６ａの端部に一体的につながる大径の環状周壁６ｂからなっている。頭部６ａには内容物の排出経路ｒと、この排出経路ｒにつながり下向きに開放された噴出口ｈを有するノズルｎが設けられている。
【００１６】
また、７は環状周壁６ｂの内側に一体的に設けられた内筒、８はこの内筒７の内側でその壁面に沿いスライド可能に保持されるジョイント部材である。このジョイント部材８はディスク状の本体部分に、頭部６ａに設けられた排出経路ｒにスライド可能につながる小筒８ａと、ポンプを構成するピストン４の中空ステム４ｂに嵌合する筒体８ｂを有しており（小筒８ａと筒体８ｂは通路でつながっている）、ポンプによって吸引、加圧、圧縮された内容物は、中空ステム４ｂに設けられた開孔４ｂ１からその内側に入り込み（図２参照）、筒体８ｂ、小筒８ａ、排出経路ｒを通ってノズルｎの噴出口ｈから排出される。
【００１７】
９はジョイント部材８の筒体８ｂの外側において嵌合、保持され、ピストン４の摺動体４ａの動きを規制するピストン押さえである。このピストン押さえ９は中空ステム４ｂの外側において嵌合する筒体９ａと、この筒体９ａの末端部分に一体連結するフランジ部９ｂからなっており、押圧ヘッド６の押し込み時にはピストン押さえ９の筒体９ａが摺動体４ａに当接するように移動して中空ステム４ｂの開孔４ｂ１が開放され、押圧ヘッド６が初期姿勢にあるときには摺動体４ａが中空ステム４ｂの凸部４ｂ２に当接して開孔４ｂ１が閉じるようになっている。１０はポンプを構成するシリンダー３の外側に形成された台座１１と、ピストン押さえ９のフランジ部９ｂの相互間に配置されたスプリングの如き弾性部材である。この弾性部材１０は押圧ヘッド６を弾性支持するものであって、これによって押圧ヘッド６を初期姿勢に保持するとともに横方向に押し込みを可能としている。
【００１８】
１２は押圧ヘッド６の頭部６ａ内にスライド可能に配置されたシャットオフピンである。このシャットオフピン１２はその先端がノズルｎの噴出口ｈを塞ぐようにスプリング１２ａを介して弾性支持されている。シャットオフピン１２の後端部は枢支ピン１２ｂを支点にして回動可能なＬ型形状をなすレバー１２ｃの一端が連結しており、押圧ヘッド６を押し込むことで、レバー１２ｃのもう一端がジョイント部材８によって押され、これによりレバー１２ｃが枢支ピン１２ｂを支点に回動してシャットオフピン１２を上方（噴出口ｈの反対側）へスライドさせてノズルｎの噴出口ｈを開放して内容物の排出を可能とする。
【００１９】
押圧ヘッド６の押し込みを解除すると、Ｌ型形状をなすレバー１２ｃの一端に加えられた力も解除されることとなり、弾性部材１０の復元力でもって押圧ヘッド６は初期姿勢へと復帰（図１に示す状態）し、この復帰動作に連動してシャットオフピン１２はスプリング１２ａの反発力により下方（噴出口ｈ側）へスライドしてノズルｎの噴出口ｈを閉塞する。
【００２０】
上記の構成になるディスペンサーは、押圧ヘッド６の押し込み動作のときのみノズルｎの噴出口ｈが開放されるものであり、それ以外はシャットオフピン１２の先端がノズルｎの噴出口ｈに当接しているため、液垂れが生じることがないうえ、外気との接触を遮断できるため排出経路ｒ内に残存している内容物が簡単に固化してしまうのを避けることができる。
【００２１】
押圧ヘッド６を最も押し込んだ状態を図２に示す。このような状態から押し込みにかかる力を解除すると、押圧ヘッド６は弾性部材１０の反発力により初期姿勢へと復帰することになり、その際、シリンダー３内は負圧になるため、注出口２、通路５、吸引口３a１を通して内容物が吸引され、該内容物の吸引は押圧ヘッド６が初期姿勢に復帰するまで続く。
【００２２】
押圧ヘッド６が初期姿勢に復帰した状態で再び押圧ヘッド６を押し込むと、シリンダー３内に吸引された内容物は加圧、圧縮され、これと連動してシャットオフピン１２が上方へスライドし、圧縮された内容物は図２の矢印にて示すように中空ステム４ｂの開孔４ｂ１、筒体８ｂ、小筒８ａ、排出経路ｒを通ってノズルｎの噴出口ｈから排出される。
【００２３】
かかるディスペンサーによって反転容器内の内容物を連続的に注出するには押圧ヘッド６を繰り返し押し込めばよい。なお、内容物が自重によってシリンダー３内に供給することができる場合には押圧ヘッド６の押し込み状態を保持することによって内容物を連続して吐出することが可能となるように構成することもできる。
【００２４】
図３は本発明にしたがうディスペンサーの他の実施形態を示したものである。図における１３は内容物を吸引する際に吸引口３ａ１から離反して該吸引口３ａ１を開放し、加圧、圧縮する際に該吸引口３ａ１  を閉じるバルブである。このバルブ１３はロッド１３ａを備えており、該ロッド１３aが中空ステム４ｂの端部に形成した開孔４ｃを通してその内部通路に嵌り込んでおりピストン４がシリンダー３内で往復移動する際のガイドとして機能するためピストン４の「ブレ」ひいては押圧ヘッド６の押し込みに起こりがちな「ブレ」がなくなり操作性が改善される。
【００２５】
図３に示したディスペンサーはジョイント部材８を押圧ヘッド６の環状周壁６ｂの内側に直接スライド可能に配置した構造になっており（図１に示した内筒７を有しない）、これによりヘッド本体のコンパクト化が可能となる。
【００２６】
かかる構成のディスペンサーも上掲図１に示したディスペンサーで説明したところと同様の要領でもって内容物を排出することが可能であり、この場合も内容物の排出を停止した状態ではシャットオフピン１２の先端によってノズルｎの噴出口ｈが確実に閉塞されることになるのでノズルｎが下向きになっていても液垂れを起こすことがなく、また、内容物の固化も起こり難い。
【００２７】
図４〜７は上掲図１に示したディスペンサーを反転姿勢にある内容物が収納された容器（デラミ容器やパウチ容器等）に取り付け、壁等の固定部に保持されたケース（収納ボックス）に配置した使用例を示した図であり、図４は側面を断面で示した図であり、図５はケースの蓋体を閉めた状態の正面図であり、図６は平面図であり、さらに図７はケース本体の底壁のみの平面図である。
【００２８】
図４〜７における番号１４はケースである。ケース１４はディスペンサーを容器とともに入れ込む収納空間を有するケース本体１４ａと、このケース本体１４ａの上部で枢軸１４ｂを介して回動可能に連結保持され、ケース本体１４ａの装入口を閉じる蓋体１４ｃからなる。
【００２９】
ケース本体１４ａは、側板１４ａ１、１４ａ２、背面板１４ａ３及び底板１４ａ４、天板１４ａ５にて構成されており、側板１４ａ１、１４ａ２の下部内面には底板１４ａ４との間に極僅かな隙間を隔てて背面板１４ａ３に向けて伸延するガイドｇが設けられ、底板１４ａ４にはガイドｇと同様に背面板１４ａ３へ向けて伸延する長孔ｆが設けられている。また側板１４ａ１、１４ａ２の上下方向の中央部よりやや下側には、ケース本体１４ａの装入口を閉じる際に蓋体１４ｃの裏面に当接させて該蓋体１４ｃの装入口における位置決めを行うストッパーＳが形成されている。
【００３０】
また、１５はディスペンサーをケース１４内で容器とともに支持するホルダーである。
このホルダー１５は側板１５ａ１、１５ａ２、背面板１５ａ３及び底板１５ａ４にて構成されており、背面板１５ａ３にはディスペンサーのベース１の後端の側壁部分に形成された凹部１ａに差し込んで連結するロッド１５ｂが突設されており、底板１５ａ４の下面にはケース本体１４ａの底板１４ａ４に形成された一対の長孔ｆにスライド可能に入り込む２つの凸部１５ｃが設けられている。
【００３１】
１６はケース１４に配置した状態でディスペンサーの押圧ヘッド６を押し込んで内容物を注出するレバーである。このレバー１６は蓋体１４ｃに枢軸１６ａを介して回動可能に取り付けられている。このレバー１６には図示はしないが、押圧ヘッド６の押し込み姿勢をそのまま維持するストッパーを設けることができ、これにより内容物の連続的な吐出が可能となるように構成することもできる。
【００３２】
かかる構成になるケース１４にディスペンサーを容器とともに配置するには、まずホルダー１５のロッド１５ｂをベース１の凹部１ａに差し込んで連結する。そして、該ホルダー１５の底板１５ａ４の縁部を、底板１４ａ４とガイドgとの間に形成される隙間に入れ込むとともに、底板１５ａ４の下面に設けられた凸部１５ｃを底板１４ａ４に形成された長孔ｆにそれぞれ適合させ、長孔ｆ及びガイドｇの誘導下に図８に示すように底板１４ａ４の表面に沿ってスライドさせ、ケース本体１４の背面板１４ａ３にホルダー１５の背面板１５ａ３を当接させて位置決めすればよい。容器の取り替えに際しては上記の逆手順に従ってホルダー１５を引き出せばよく、上記の構成になるケース１４によればディスペンサー付きの反転容器を簡単に装填し得る。
【００３３】
図９は上掲図３に示したディスペンサーと反転姿勢にある容器とを連結し、壁等の固定部に保持されたケース（収納ボックス）に配置した使用例を示した図である。
【００３４】
かかるディスペンサーは、押圧ヘッド６の突出寸法が大きいため、上掲図４〜７に示したようなレバー１６の設置を省略しても内容物の吐出操作を比較的簡単に行うことができ、とくにケース１４を構成する部品点数の削減を図ることができる利点がある。
【００３５】
前述の実施の形態においては、シリンダー３とピストン４からなるポンプ機構を備えたディスペンサーを使用したものについて示したが、ポンプ機構を備えず、シャットオフピン１２とノズルｎを有する押圧ヘッドを使用することも可能である。この場合、押圧ヘッド６の押し込み状態で内容物が排出され、押圧ヘッド６の初期状態（復帰状態）で噴出口ｈが閉塞される。
【産業上の利用可能性】
【００３６】
液垂れを起こすことがなく、内容物の固化が抑制された反転容器用のディスペンサーが提供できる。
【図面の簡単な説明】
【００３７】
【図１】本発明にしたがうディスペンサーの実施の形態を示した図である。
【図２】図１に示したディスペンサーの作動要領の説明図である。
【図３】本発明にしたがうディスペンサーの他の実施の形態を示した図である。
【図４】本発明にしたがうディスペンサーを反転姿勢にあるデラミ容器に取り付け、壁等の固定部に保持されたケース（収納ボックス）に配置した使用例を示した図である。
【図５】図４の正面図である。
【図６】図４の平面図である。
【図７】図４に示したケース本体の底壁を示した図である。
【図８】図４に示したディスペンサーを反転容器とともにケースに収納する状況を示した図である。
【図９】本発明にしたがうディスペンサーを反転姿勢にあるデラミ容器に取り付け、壁等の固定部に保持されたケース（収納ボックス）に配置した他の使用例を示した図である。
【符号の説明】
【００３８】
１       べース
１ａ     凹部
２       注入口
２ａ     ソケット
２ａ１     係合筒
３       シリンダー
３ａ     末端壁
３ａ１     吸引口
３ｂ     逆止弁
４       ピストン
４ａ     摺動体
４ｂ     中空ステム
４ｂ１    開孔
４ｂ２     凸部
５       通路
６       押圧ヘッド
６ａ     頭部
６ｂ     環状周壁
７       内筒
８       ジョイント部材
８ａ     小筒
８ｂ     筒体
９       ピストン押さえ
９ａ     筒体
９ｂ     フランジ部
１０     弾性部材
１１     台座
１２     シャットオフピン
１２ａ   スプリング
１２ｂ   枢支ピン
１２ｃ   レバー
１３     バルブ
１３ａ   ロッド
１４     ケース
１４ａ   ケース本体
１４ａ１  側板
１４ａ２  側板
１４ａ３   背面板
１４ａ４   底板
１４ａ５   天板
１４ｂ    枢軸
１４ｃ    蓋体
１５      ホルダー
１５ａ１   側板
１５ａ２   側板
１５ａ３   背面板
１５ａ４   底板
１５ｂ    ロッド
１５ｃ    凸部
１６      レバー
１６ａ    枢軸
ｒ        排出経路
Ｊ        アダプター
Ｊ１１      内側筒体
Ｊ１２       外側筒体
Ｍ        レバー
ｈ        噴出口
ｎ        ノズル
ｇ        ガイド
ｆ        長孔
Ｓ        ストッパー
Ｖ        弁体
【図１】
2010006457.tif 000003
【図２】
2010006457.tif 000004
【図３】
2010006457.tif 000005
【図４】
2010006457.tif 000006
【図５】
2010006457.tif 000007
【図６】
2010006457.tif 000008
【図７】
2010006457.tif 000009
【図８】
2010006457.tif 000010
【図９】
2010006457.tif 000011